(57)【特許請求の範囲】
【請求項１】
容器本体１と、該容器本体上面へ着脱自在に嵌合させた蓋体11と、容器本体内へ収納させるペースト状物取出し用のヘラ21とからなり、
容器本体１は、該容器本体周壁を横断面四角形状とすると共に、該周壁の左右両側壁２，２を、底壁３の左右両端から左右上外方へ内面凹状に弯曲壁部４，４を突出し、かつ弯曲壁部上端から上外方ないし上方へ端壁部５，５を起立して形成し、又周壁上端へ第１外向きフランジ６を付設して設け、
蓋体11は、平板状に設けた頂板12の外周から垂設した、短周壁13下端に付設した第２外向きフランジ14を上記第１外向きフランジ６上へ載置させると共に、該第２外向きフランジ外周から垂設した嵌合筒15を上記第１外向きフランジ外面へ嵌合させて形成し、
又ヘラ21は、上記容器本体周壁の前後方向内面巾とほぼ同一巾で、かつ周壁内面高さとほぼ同一高さとした四角形状平板部22の上面から、上記蓋体短周壁13の内面高さとほぼ同一高さの柄23を起立した形状とし、かつ上記蓋体短周壁の前後両側壁部分13a ，13a の一部対向部分に付設した突条16，16と頂板12の前後両側部内面とが形成する両間隙内へ、上記平板部２２及び柄２３を蓋体頂板１２の内面へ載置させた状態で前後方向へ摺動させることにより、平板部22の前後両側を着脱自在に挟持させて蓋体内への装着が可能に形成したことを特徴とするペースト状物収納容器。
【請求項２】
容器本体第１外向きフランジ６の前後両フランジ部分上面へ、収納物計測用の目盛７を表示した
ことを特徴とする請求項１記載のペースト状物収納容器。
【発明の詳細な説明】
【０００１】
【発明の属する技術分野】
本発明は例えば味噌等のペースト状物収納容器に関する。
【０００２】
【従来の技術】
例えば味噌は、一般に底壁周縁から周壁を起立する容器本体内へ収納させ、その容器本体上面を蓋体で閉塞させて販売している。
【０００３】
【発明が解決しようとする課題】
例えば上記のような容器内に入れられている味噌の使用は、箸ないし適宜スプーン等で適当量宛取出して使用しているが、ペースト状であるため一度に適量を取出すことが難かしく、又容器体内壁面に付着した味噌を上記箸ないしスプーン等では残さずに取出すことが面倒であった。
【０００４】
本発明は容器を取出し用ヘラ付きの容器とすると共に、その容器を、上記ヘラ使用により容易に取出し出来るよう設けたものである。
【０００５】
【課題を解決するための手段】
第１の手段として、容器本体１と、該容器本体上面へ着脱自在に嵌合させた蓋体11と、容器本体内へ収納させるペースト状物取出し用のヘラ21とからなり、
容器本体１は、該容器本体周壁を横断面四角形状とすると共に、該周壁の左右両側壁２，２を、底壁３の左右両端から左右上外方へ内面凹状に弯曲壁部４，４を突出し、かつ弯曲壁部上端から上外方ないし上方へ端壁部５，５を起立して形成し、又周壁上端へ第１外向きフランジ６を付設して設け、
蓋体11は、平板状に設けた頂板12の外周から垂設した、短周壁13下端に付設した第２外向きフランジ14を上記第１外向きフランジ６上へ載置させると共に、該第２外向きフランジ外周から垂設した嵌合筒15を上記第１外向きフランジ外面へ嵌合させて形成し、
又ヘラ21は、上記容器本体周壁の前後方向内面巾とほぼ同一巾で、かつ周壁内面高さとほぼ同一高さとした四角形状平板部22の上面から、上記蓋体短周壁13の内面高さとほぼ同一高さの柄23を起立した形状とし、かつ上記蓋体短周壁の前後両側壁部分13a ，13a の一部対向部分に付設した突条16，16と頂板12の前後両側部内面とが形成する両間隙内へ、上記平板部２２及び柄２３を蓋体頂板１２の内面へ載置させた状態で前後方向へ摺動させることにより、平板部22の前後両側を着脱自在に挟持させて蓋体内への装着が可能に形成したことを特徴とする。
【０００６】
第２の手段として、上記第１の手段を有すると共に、容器本体第１外向きフランジ６の前後両フランジ部分上面へ、収納物計測用の目盛７を表示した。
【０００７】
【発明の実施の形態】
以下図面について説明すると、１は容器本体で、該容器本体は、周壁左右方向へ長い横断面長方形状の四角形状とすると共に、該周壁の左右両側壁２，２を、底壁３の左右両端から左右上外方へ、内面凹状の弯曲壁部４，４を突出し、かつ該弯曲壁部上端から上外方ないし上方へ端壁部５，５を起立して形成し、又周壁上端に第１外向きフランジ６を付設している。周壁の前後両側壁７，７の左右外縁は上記両側壁２，２の前後両面形状に従って、その下端縁の左右両側部から上外方へ内面凹状の弯曲縁を起立する形状であり、前後両側壁内面の前後方向内巾はその上下共ほぼ等しい。上記第１外向きフランジ６の前後両フランジ部分上面へは、容器本体内へ収納させる、例えば味噌計測用の目盛り８を表示するとよい。
【０００８】
11は上記容器本体１上面へ着脱自在に嵌合させる蓋体で、該蓋体は、平板状に設けた頂板12の外周から垂設した短周壁13の下端に第２外向きフランジ14を付設し、かつ該外向きフランジ外周から既述第１外向きフランジ６外面へ嵌合させる嵌合筒15を垂下する。第２外向きフランジ14下面は第１外向きフランジ６上面と同一大きさに形成して第１外向きフランジ上へ載置させる。又上記短周壁13の前後方向内面の横巾は、容器本体周壁前後方向内面の横巾と等しく設けている。短周壁の前後両側壁部分13a ，13a の一部対向部分には、図１が示すように突条16，16を横設する。これ等突条については後述する。尚容器本体と蓋体とは肉薄ヒンジで開閉自在に連結してもよい。
【０００９】
21は収納物取出し用のヘラで、容器本体周壁の前後方向内面巾とほぼ同一巾で、かつ周壁の内面高さとほぼ同一高さとした四角形状平板部22の上面から、既述蓋体短周壁13の内面高さとほぼ同一高さとした巾狭の柄23を起立して形成する。その平板部の下部は、収納物内への差込みが容易であるよう、下端面を巾狭とする傾斜面24を付形するとよい。該ヘラは容器出荷時において、図１が示すように既述突条16，16とこれ等突条上方の頂板12の前後両側部分との間隙内へ、ヘラ平板部22の両側を着脱自在に挟持させておく。
【００１０】
該ヘラの装着は、図２が示すように、該ヘラを裏返しにした蓋体頂板12の内面端部へ載置させ、次いでヘラを摺動させてその平板部22両側を上記間隙内へ挟持させればよい。取出しの際はヘラを逆方向へ摺動させて取出せばよい。
【００１１】
上記構成において、収納物取出しの際は、上記のように蓋体からヘラを外し、収納物31の一端側へ平板部22を差込み、そのまま弯曲壁部４を利用して図６のように取出せばよい。取出し後は図７が示すようにヘラ21の平板部22を収納物31内へ差込みしておき、蓋体11を閉塞する。
【００１２】
尚既述容器本体，蓋体，ヘラはそれぞれ合成樹脂で成形している。
【００１３】
【発明の効果】
本発明は既述構成とするもので、ヘラ21の平板部22を容器本体周壁の前後方向内面巾とほぼ同一巾で、かつ周壁内面高さとほぼ同一高さの四角形状としたから、容器体内収納のペースト状物を、その一端近くへヘラ平板部22を、その下端面が底壁３へ接するまで押下げることで容易にそのペースト状物の一端部を切離すことが出来、又容器本体底壁の左右両端部から、左右上外方への弯曲壁部４，４を介して左右両端壁部５，５を起立したから、平板部22下端面が上記弯曲壁に沿って摺動するようにヘラ21を移動させることで、上記切離されたペースト状物を容易かつ簡易に取出すことが出来る。又ヘラの柄23は、蓋体短周壁13の内面高さとほぼ同一高さとしたから、図７が示すように消費者は一たんヘラを使用した後はその平板部22をペースト状物内へ差込みした状態で容器本体１へ蓋体11を嵌合できる便利がある。
【００１４】
請求項２の場合のように、容器本体第１外向きフランジ６の前後両フランジ部分上面へ収納物計測用の目盛７を付設しておくことで、取出すべきペースト状物の計量が容易である。
【図面の簡単な説明】
【図１】  本発明容器の分解斜視図である。
【図２】  蓋体裏面へのヘラ取付け方法の説明図である。
【図３】  蓋体裏面へヘラを取付けた状態を示す斜視図である。
【図４】  開蓋状態で容器を示す斜視図である。
【図５】  収納物取出し方法の説明図である。
【図６】  収納物取出し方法を示す断面図である。
【図７】  収納物半減状態で示す容器の断面図である。
【符号の説明】
１…容器本体              ２…左右側壁
４…弯曲壁部              ５…端壁部
６…第１外向きフランジ    11…蓋体
12…頂板                  15…嵌合筒
21…ヘラ                  22…平板部
23…柄
【図１】
0003936097.tif 000002
【図２】
0003936097.tif 000003
【図３】
0003936097.tif 000004
【図４】
0003936097.tif 000005
【図５】
0003936097.tif 000006
【図６】
0003936097.tif 000007
【図７】
0003936097.tif 000008